Podtech/llm-jp-corpus-v4-ja_patent huggingface dataset:
(57)【要約】  液体用容器に嵌合する基部を有する食品容器に適用される構造配置は、頂上部には蓋（０２）が嵌合し、基部には、中心部にストロー（０５）用の孔（０４）を有する食品容器（０１）の全高まで延びた凹形状物（０３）があり、前記ストロー（０５）が、瓶（０６）又はコップ（０７）である液体用容器まで延び、液体用容器嵌合用として瓶用嵌合アダプタ（０８）及びコップ（０７）嵌合用の様々なサイズを有するリング（０９）を備える、細長い本体を有する食品容器（０１）で構成される。  【選択図】図２
2019532794.tif 000002
【特許請求の範囲】
【請求項１】
頂上部には蓋（０２）が嵌合し、基部には、中心部にストロー（０５）用の孔（０４）を有する食品容器（０１）の全高まで延びた凹形状物（０３）があり、前記ストロー（０５）が、瓶（０６）又はコップ（０７）である液体用容器まで延び、液体用容器嵌合用として瓶用嵌合アダプタ（０８）及びコップ（０７）嵌合用の様々なサイズを有するリング（０９）を備える、細長い本体を有する食品容器（０１）を特徴とする、液体用容器に嵌合する基部を有する食品容器に適用される構造配置。
【発明の詳細な説明】
【技術分野】
【０００１】
本実用新案特許は「液体用容器に嵌合する基部を有する食品容器に適用される構造配置」に関するものであり、液体用容器の補完物としての利用をその目的とする。
【背景技術】
【０００２】
グローバリゼーションの到来に伴って、家庭を２１世紀の経済ニーズに適応させる必要性が発生している。慌ただしさ、そして熾烈な競争ゆえに、労働者は、ますます家庭外で過ごすことになり、そのために短時間で手軽に取れる食事のニーズが拡大し、その需要に応えるため様々な各種レストランが出現した。世界の人々にとって、軽食堂、カフェ、レストラン、ベーカリー、キオスク、フードトレーラ、そして現在では、せめぎ合うフードトラックで食事することがますます増えている。ブラジル地理統計院（ＩＢＧＥ）の調査によれば、都市部家庭の外食する平均費用は、２００２年の約２５％から２００９年には３０％へといくらか増加している。この結果に対する別の重要な要因は、ブラジルとその国民が豊かになったこと、そして利用できる外食サービスの選択肢が非常に多彩になったことであった。
【０００３】
２０世紀後半においてファーストフードは大きな革新的出来事であり、全世界的に発生した外食システムの大革命であった。そのコンセプトは、品質が良く、速くて価格も手頃な食べ物を提供することである。この外食産業システムは、規模による利益及びコスト削減によって食品小売業の最先端に再び引き戻された。今世紀において外食システムは、レストランをさらに手軽に利用できるよう、肉料理、シーフード、又はパスタなど、ある種の強みを追求することで、より素早いサービス、良質で低価格の食べ物を提供するといった新概念の導入による、新たな変革期に苛まれている。
【発明の概要】
【発明が解決しようとする課題】
【０００４】
上記のそれらのすべての変革に伴って、人がより快適に、より速く、より手軽な食事を求める傾向は、ますます一般的になっている。しかし実際には、それには、いまだに気がかりで不快な点がある、と言うのも、外食システムの大半は、便利さ、手軽さ、そして経済性を備えたファーストフード市場の現在のニーズに、ほとんど合っていないからである。外食システムは考えられる限り多彩なものになっているが、肉料理、シーフード、パスタなどの、そしてブラジル人が好む料理である有名なライス・アンド・ビーンズに至るまで、食べ物の給仕方法において、不便さがいくつか見受けられる。特に際立った不便さとして挙げられるのは、食べ物が持ち帰り用容器で提供されるが、水やジュースがつくため、立ったままで食べるのが困難なことである。例えば、外食システムの利用者は、飲物と食べ物を手で持たなければならず、そのため食事することが非常に難しくなるのである。同じことが、車の中や、日光を浴びるために利用できる唯一の時間となる、歩いている間などでも起きている。
【課題を解決するための手段】
【０００５】
上記説明及び現在のファーストフード・システムが生み出す不便さを考慮して、個人的な雑用を終わらせるために利用できる数分間を放棄せずに、速くて手軽で、かつ良質の食事を求める個人のニーズに対応することを目的とする「液体用容器に嵌合する基部を有する食品容器に適用される構造配置」が考案された。
【０００６】
「液体用容器に嵌合する基部を有する食品容器に適用される構造配置」は、そのシンプルな発想から、ポリマー素材の又は食品分野で使用材料に関する現行規格に基づく食品用包装物からなり、その基部に開口部及び、多様なサイズの液体用容器に嵌合するためのコップ及び瓶用リング・アダプタを備え、そのアダプタの先端部には、液体を吸うためのストローを利用するための孔が設けられている。
【０００７】
「液体用容器に嵌合する基部を有する食品容器に適用される構造配置」は、衛生監督の現行規格に基づく材料で生産された、使い捨て包装物であることから、食品汚染を防止し、利用上の実用性が高く、コップ、瓶及び缶に適合させることができる。あらゆるサイズでの利用が可能であり、さらに食べ物を分離するための仕切りを設けることもできる。
【０００８】
「液体用容器に嵌合する基部を有する食品容器に適用される構造配置」をよりよく理解するため以下の図を提示する。
【図面の簡単な説明】
【０００９】
【図１】図１は、「液体用容器に嵌合する基部を有する食品容器に適用される構造配置」の外観図である。
【図２】図２は、「液体用容器に嵌合する基部を有する食品容器に適用される構造配置」の基部の外観図である。
【発明を実施するための形態】
【００１０】
これらの図に基づいて、「液体用容器に嵌合する基部を有する食品容器に適用される構造配置」は、頂上部には蓋（０２）が嵌合し、基部には、中心部にストロー（０５）用の孔（０４）を有する食品容器（０１）の全高まで延びた凹形状物（０３）があり、前記ストロー（０５）が、瓶（０６）又はコップ（０７）である液体用容器まで延び、液体用容器嵌合用として瓶用嵌合アダプタ（０８）及びコップ（０７）嵌合用の様々なサイズを有するリング（０９）を備える、細長い本体を有する食品容器（０１）を特徴とする。
【図１】
2019532794.tif 000003
【図２】
2019532794.tif 000004
【国際調査報告】
2019532794.tif 000005
2019532794.tif 000006
2019532794.tif 000007
2019532794.tif 000008
2019532794.tif 000009
2019532794.tif 000010
2019532794.tif 000011
2019532794.tif 000012
(57)【要約】  【解決手段】  血流中を循環したときに悪性細胞に結合し、かつ正常な組織細胞および良性腫瘍細胞への付着を最小限にする傾向がある標的分子。前記標的分子は、ＭＲＩ、Ｘ線、超音波、色彩的に眼に見えるような様々な手段、および他の任意の有用な検出手段によって特定され得るように検出可能であるように設計される。  【選択図】      なし【特許請求の範囲】
【請求項１】
良性腫瘍ではなく悪性腫瘍を標的とし、かつ結合する検出可能な分子。
【発明の詳細な説明】
【技術分野】
【０００１】
本発明は、良性腫瘍ではなく悪性腫瘍を標的とし、かつ結合する検出可能な分子、および関連する方法を開示する。
【０００２】
関連出願の相互参照
本出願は、２０１６年１０月２６日付け出願の米国仮出願第６２／４１２，９４８号の利益を主張し、その全体が参照により本明細書に組み込まれる。
【発明の概要】
【課題を解決するための手段】
【０００３】
本発明の実施形態は、良性腫瘍ではなく悪性腫瘍を標的とし、かつ結合する検出可能な分子、および関連する方法を提供する。
【発明を実施するための形態】
【０００４】
腫瘍が悪性であるか良性であるかを決定するための現代的な手段は、通常、バイオプシーとそれに続く組織学的検査である。悪性腫瘍のバイオプシーは、腫瘍を切り込み、血流を介して全身を循環することができる（転移する）癌細胞を取り除くため、危険性の高い外科手術である。悪性腫瘍のバイオプシーは、全身への癌の拡がりを増加させる手段である。
【０００５】
バイオプシーをすることなく腫瘍が悪性であるか良性であるかを判定するための手段が必要とされている。本発明は、血流中を循環したときに悪性細胞に結合し、かつ正常な組織細胞および良性腫瘍細胞への付着を最小限にする傾向がある標的分子を利用する。標的分子は、ＭＲＩ、Ｘ線、超音波、色彩的に眼に見えるような様々な手段、および他の任意の有用な検出手段によって特定され得るように検出可能であるように設計される。
【０００６】
本発明の実施による医療専門家は、標的分子を患者の血流に導入し、かつ前記分子が循環して問題の腫瘍に結合し、または結合しないことを可能にするであろう。所定の間隔を置いた後、施術者は標的分子の検出特性に関して腫瘍部位を調べるであろう。これは、ＭＲＩ、Ｘ線、超音波、色彩的に眼に見えるような様々な手段、および他の任意の有用な検出手段によって行われる。例えば、標的分子が放射線不透過性である場合、標的分子が問題の腫瘍内に蓄積したか否かを決定するためにＸ線写真が利用されるであろう。悪性腫瘍の検出は、その腫瘍がＸ線写真で異常である場合に決定されるであろう。
【０００７】
本発明は、癌細胞内で堆積し、かつ結合することが知られている標的分子としてペプチド、ポリペプチド、ポリマー、タンパク質、バイオポリマー、およびリン脂質を利用する。本発明の実施形態は、フィブリンおよびフィブリノーゲンに結合する標的分子が好ましい。本発明の別の実施形態は、多形性細胞に結合する親和性を有する標的分子が好ましい。本発明の別の実施形態は、新生細胞に結合する親和性を有する標的分子が好ましい。本発明の別の実施形態は、悪性腫瘍と良性腫瘍の両方に結合する標的分子が好ましいが、定量化および測定することができる悪性腫瘍と良性腫瘍との間に測定可能な差異があるようにこれらの腫瘍内の細胞密度の差異を利用する。本発明の別の実施形態は、ＤＮＡに結合する標的分子が好ましい。本発明の別の実施形態は、核に結合する標的分子が好ましい。
【０００８】
フィブリノーゲンおよびフィブリンに結合する親和性を有するペプチド、ポリペプチド、ポリマー、バイオポリマー、およびタンパク質のリストは、米国特許第８，５１３，３８０号に見られ、その全体が参照により本明細書に組み込まれる。米国特許第８，５１３，３８０号もまた、実際に適用したときの製造手段および追加のペプチドを発見するための手段を開示している。
【０００９】
癌細胞に結合する親和性を有するリン脂質は、米国特許第４，９３５，５２０号に見られ、その全体が参照により本明細書に組み込まれる。米国特許第４，９３５，５２０号もまた、実際に適用したときの製造手段および追加のペプチドを発見するための手段を開示している。
【００１０】
本発明は、腫瘍内の悪性細胞と良性細胞との間の固有の相違点、例えば細胞密度、細胞の多形性および核の多形性、核対細胞質比、ＤＮＡ密度、核密度、並びに細胞とよく似た腫瘍との間の任意の他の有用な区別を標的とするように設計される。
【００１１】
本発明の一実施形態は、悪性腫瘍に結合するためのより高い親和性を有し、同時に良性腫瘍および正常な組織への結合を最小限にする標的分子を選択し、これらにはＭＲＩ、Ｘ線、超音波、色彩的に眼に見えるような様々な手段、およびその他の任意の有用な検出手段によって検出することを可能にする化学的部分が付加されている。
【００１２】
放射線不透過性標的分子は、ペプチド、ポリペプチド、ポリマー、タンパク質、バイオポリマー、およびリン脂質上に放射線不透過性部分を付加することによって作り出される。本発明は、ヨウ素、臭素、カルシウム、バリウム、ストロンチウム、ビスマス、タングステン、ジルコニウム、鉄、銅、ニッケル、亜鉛、銀、スズ、ガリウム、アンチモン、パラジウム、ロジウム、イットリウム、モリブデン、コバルト、クロム、チタン、バナジウム、マグネシウム、金、プラチナ、及びイリジウム、並びに任意のその他のＸ線で描出できる物質のような放射線不透過性物質の供給源として重元素を利用する。これらの放射線不透過性物質は、それらの元素形態で、塩として、キレート形態で結合して、または有機金属化合物として使用することができる。癌細胞を収集してかつ結合するという得られた化合物の能力を阻害しない標的分子に結合することができる任意の放射線不透過性部分は本特許の範囲内である。
【００１３】
ＭＲＩで検出可能な標的分子は、ＭＲＩ造影部分をペプチド、ポリペプチド、ポリマー、タンパク質、バイオポリマー、およびリン脂質に付加することによって作り出される。本発明は、ガドリニウム、酸化鉄、鉄白金、マンガン、および他の任意のＭＲＩ造影剤をＭＲＩ造影部分として利用する。これらのＭＲＩ造影部分は、それらの元素形態で、塩として、キレート形態で結合して、または有機金属化合物として使用することができる。癌細胞を収集してかつ結合するという得られた化合物の能力を阻害しない標的分子に結合することができる任意のＭＲＩ造影部分は本特許の範囲内である。
【００１４】
有色標的分子は、有色部分をペプチド、ポリペプチド、ポリマー、タンパク質、バイオポリマー、およびリン脂質に付加することによって作り出される。本発明は、共役有機化合物、有機金属化合物、および他の任意の有用な色の化合物を利用する。癌細胞を収集してかつ結合するという得られた化合物の能力を阻害しない標的分子に結合することができる任意の有色部分は本特許の範囲内である。
【００１５】
超音波によって検出可能な標的分子は、ペプチド、ポリペプチド、ポリマー、タンパク質、バイオポリマー、およびリン脂質に中空ナノ球体部分を付加することによって作り出される。
【国際調査報告】
2019536015.tif 000002